(57)【要約】      （修正有）【課題】架台が支持台の形態を変更したときに支持台上での使用者の位置をズレにくくした身体支持装置を提供する。【解決手段】身体支持装置は、使用者を支持する支持台１１と、支持台１１を、支持台１１の形態を変更可能に支持する架台１２と、支持台に設けられ、支持台上の使用者の位置を保持する保持部２９と、を備える。前記保持部２９により支持台１１上の使用者の位置が保持され、架台１２が支持台の形態を変更したときに支持台上での使用者の位置をズレにくくすることができる。【選択図】図１
2018157923.tif 000002
【特許請求の範囲】
【請求項１】
使用者を支持する支持台と、
前記支持台を、前記支持台の形態を変更可能に支持する架台と、
前記支持台に設けられ、前記支持台上の前記使用者の位置を保持する保持部と、
を備える身体支持装置。
【請求項２】
前記保持部は、前記支持台が有する座面部に設けられている請求項１に記載の身体支持装置。
【請求項３】
前記架台は、前記支持台の形態を、座位姿勢の前記使用者を支持するチェアポジションに変更可能である請求項１または２に記載の身体支持装置。
【請求項４】
前記保持部は、前記支持台のうち前記保持部以外の部分よりも柔らかく構成されている請求項１から３のいずれか一項に記載の身体支持装置。
【請求項５】
前記保持部は、前記支持台のうち前記保持部以外のいずれかの部分よりも滑りにくく構成されている請求項１から４のいずれか一項に記載の身体支持装置。
【請求項６】
前記保持部は、前記支持台が有する座面部に設けられ、
前記支持台が有する背もたれは、前記保持部よりも滑りやすく構成されている請求項５に記載の身体支持装置。
【請求項７】
前記架台は、前記支持台の形態を、座位姿勢の前記使用者を支持するチェアポジションと、仰臥位姿勢の前記使用者を支持するベッドポジションと、の間で変更可能である請求項１から６のいずれか一項に記載の身体支持装置。
【発明の詳細な説明】
【技術分野】
【０００１】
本発明は、身体支持装置に関する。
【背景技術】
【０００２】
従来、例えば下記特許文献１に記載の身体支持装置が知られている。
身体支持装置は、架台が、座位姿勢の使用者を支持するチェアポジションと、仰臥位姿勢の使用者を支持するベッドポジションと、に変更可能に支持台を支持する。支持台がチェアポジションとベッドポジションとに形態を変えることで、使用者は、支持台上で支持されたままで、座位姿勢と仰臥位姿勢とに姿勢を変更することができる。
【先行技術文献】
【特許文献】
【０００３】
【特許文献１】特開２０００−１３５２５５号公報
【発明の概要】
【発明が解決しようとする課題】
【０００４】
しかしながら、例えば架台が支持台の形態をベッドポジションからチェアポジションに変更したときに使用者の上半身が上がること等により、支持台上での使用者の位置がズレやすいという問題がある。
【０００５】
本発明は、このような問題点に鑑みてなされたものであって、架台が支持台の形態を変更したときに支持台上での使用者の位置をズレにくくした身体支持装置を提供することを目的とする。
【課題を解決するための手段】
【０００６】
上記課題を解決するために、この発明は以下の手段を提案している。
（１）本発明の身体支持装置は、使用者を支持する支持台と、前記支持台を、前記支持台の形態を変更可能に支持する架台と、前記支持台に設けられ、前記支持台上の前記使用者の位置を保持する保持部と、を備えることを特徴としている。
この発明によれば、保持部により支持台上の使用者の位置が保持されることで、架台が支持台の形態を変更したときに支持台上での使用者の位置をズレにくくすることができる。
【０００７】
（２）上記（１）に記載の身体支持装置において、前記保持部は、前記支持台が有する座面部に設けられていてもよい。
一般的に、臀部は人体の頭部から脚部までのうちの中央の部分であり、人体の臀部の位置が保持されれば、人体全体の位置が安定する。
この発明によれば、支持台上での使用者の位置を効果的にズレにくくすることができる。
【０００８】
（３）上記（１）または（２）に記載の身体支持装置において、前記架台は、前記支持台の形態を、座位姿勢の前記使用者を支持するチェアポジションに変更可能であってもよい。
この発明によれば、支持台上に乗った使用者が比較的位置をずらしやすいと考えられる座位姿勢であっても、支持台上での使用者の位置をズレにくくすることができる。
【０００９】
（４）上記（１）から（３）のいずれかに記載の身体支持装置において、前記保持部は、前記支持台のうち前記保持部以外の部分よりも柔らかく構成されていてもよい。
この発明によれば、支持台上に使用者が乗ったときに、保持部が下方に沈み込む長さは、支持台のうち保持部以外の部分が下方に沈み込む長さよりも長くなる。このため、保持部上の使用者の身体は、支持台のうち保持部に連なる部分により支持台の上面に沿って移動しにくくなる。したがって、保持部が沈み込むことで、支持台上での使用者の位置をズレにくくすることができる。
【００１０】
（５）上記（１）から（４）のいずれかに記載の身体支持装置において、前記保持部は、前記支持台のうち前記保持部以外のいずれかの部分よりも滑りにくく構成されていてもよい。
この発明によれば、使用者の身体のうち保持部に接触する部分が保持部との間に作用する摩擦力により、支持台の上面に沿って移動しにくくなる。このため、支持台上での使用者の位置をズレにくくすることができる。
【００１１】
（６）上記（５）に記載の身体支持装置において、前記保持部は、前記支持台が有する座面部に設けられ、前記支持台が有する背もたれは、前記保持部よりも滑りやすく構成されていてもよい。
この発明によれば、背もたれが水平方向に実質的に平行な状態から背もたれを上げたときに、背もたれに支持される使用者の上半身が背もたれ上で移動しやすくなる。これにより、背もたれを上げたときに、使用者の上半身が支持台により支持台の上面に沿って突っ張る力を受けることを抑制することができる。
【００１２】
（７）上記（１）から（６）のいずれかに記載の身体支持装置において、前記架台は、前記支持台の形態を、座位姿勢の前記使用者を支持するチェアポジションと、仰臥位姿勢の前記使用者を支持するベッドポジションと、の間で変更可能であってもよい。
この発明によれば、使用者が支持台上に乗った状態で、使用者の姿勢を座位姿勢と仰臥位姿勢とで変更しても、支持台により使用者を支持することができる。
【発明の効果】
【００１３】
本発明の身体支持装置によれば、支持台上での使用者の位置をズレにくくすることができる。
【図面の簡単な説明】
【００１４】
【図１】本発明の第１実施形態に係る身体支持装置であって、支持台がチェアポジションである状態を示す斜視図である。
【図２】図１に示す身体支持装置の側面図である。
【図３】図１に示す身体支持装置であって、支持台がベッドポジションである状態を示す斜視図である。
【図４】図３に示す身体支持装置の側面図である。
【図５】図３に示す身体支持装置であって、柵体が退避位置に位置する状態を示す斜視図である。
【図６】図３に示す身体支持装置であって、柵体が水平位置に位置する状態を示す斜視図である。
【図７】図１に示す身体支持装置であって、支持台および柵体を除去した状態を示す斜視図である。
【図８】図３に示す身体支持装置であって、台車本体の一部を除去した状態を下側から見た斜視図である。
【図９】同身体支持装置の支持台であって、（ａ）は側面図であり、（ｂ）は底面図である。
【図１０】同身体支持装置のクッション部の底面図である。
【図１１】図９（ｂ）中の切断線Ａ１−Ａ１の断面図である。
【図１２】図９（ｂ）中の切断線Ａ２−Ａ２の断面図である。
【図１３】本発明の第２実施形態に係る身体支持装置であって、（ａ）は柵体が水平位置に位置する状態を示す斜視図であり、（ｂ）は（ａ）中の範囲Ｂ１の拡大図であり、（ｃ）は（ａ）中の範囲Ｂ２の拡大図である。
【発明を実施するための形態】
【００１５】
（第１実施形態）
以下、図１から図１２を参照し、本発明の第１実施形態に係る身体支持装置を説明する。
身体支持装置１０は、例えば医療用チェアとして利用される。身体支持装置１０は、例えば、使用者が診察を受ける際に、待機、術前処理、検査・診察、搬送、リカバリーという一連の流れに利用することができる。これにより、使用者が身体支持装置１０から他の装置に移乗する頻度を抑えることができる。身体支持装置１０は、手動で起伏調節可能であり、いわゆるリクライニング機能を具備している。
【００１６】
なお以下では、身体支持装置１０が座位姿勢の使用者を支持した状態における使用者の前後方向および左右方向をそれぞれ、身体支持装置１０の前後方向Ｘおよび左右方向Ｙとする。また、身体支持装置１０が座位姿勢の使用者を支持した状態における使用者の前側および後側をそれぞれ、前後方向Ｘに沿う前側Ｘ１および後側Ｘ２という。前側Ｘ１および後側Ｘ２はそれぞれ、身体支持装置１０が仰臥位姿勢の使用者を支持した状態における使用者の足側および頭側となる。
【００１７】
図１から図６に示すように、身体支持装置１０は、支持台１１と、架台１２と、柵体１３と、ハンドル１４と、を備えている。
支持台１１は、使用者（使用者の胴体）を支持する。支持台１１は、座面部２１と、背もたれ２２と、レッグレスト２３と、を備えている。座面部２１は、使用者の臀部および腿部を支持する。座面部２１のうち、後側に位置する部分（以下、「後座面部２１ａ」という。）は、臀部を支持し、前側に位置する部分（以下、「前座面部２１ｂ」という。）は、腿部を支持する。背もたれ２２は、使用者の上半身を支持する。背もたれ２２には、使用者の頭部を支持する枕２４が取り付けられている。レッグレスト２３は、使用者の膝より先の脚部を支持する。
【００１８】
座面部２１、背もたれ２２およびレッグレスト２３はそれぞれ、クッション部２５を備えている。クッション部２５は、変形することで外力を吸収する。全てのクッション部２５は、一体に形成されていて、前後方向Ｘの全長にわたって連なっている。
架台１２は、支持台１１を支持する。架台１２は、支持台１１の形態を変更可能である。架台１２は、支持台１１の形態を、図１および図２に示すようなチェアポジションＰ１と、図３から図６に示すようなベッドポジションＰ２（フラットポジション）と、の間で変更可能である。
【００１９】
図１および図２に示すように、チェアポジションＰ１の支持台１１は、座位姿勢の使用者を支持する。チェアポジションＰ１では、座面部２１が上方を向いている。ここで後座面部２１ａは、水平面に沿って延び、前座面部２１ｂは、後座面部２１ａから前側Ｘ１斜め上側に向けて延びている。また背もたれ２２が、座面部２１の後側Ｘ２の端部から上側に向けて延びている。さらにレッグレスト２３が、座面部２１の前側Ｘ１の端部から前側Ｘ１斜め下側に向けて延びている。
【００２０】
図３から図６に示すように、ベッドポジションＰ２の支持台１１は、仰臥位姿勢の使用者を支持する。ベッドポジションＰ２では、支持台１１の全体（背もたれ２２、座面部２１およびレッグレスト２３）が、前後方向Ｘに沿って一直線状に延び、水平方向に実質的に平行になっている。
【００２１】
なお架台１２は、支持台１１の形態を、チェアポジションＰ１とベッドポジションＰ２との間で連続的に変更可能であってもよく、間欠的に変更可能であってもよい。
支持台１１の形態が、チェアポジションＰ１とベッドポジションＰ２との間で連続的に変更可能であることは、支持台１１の形態を、チェアポジションＰ１やベッドポジションＰ２のみならず、チェアポジションＰ１やベッドポジションＰ２の間の任意の中間ポジションで保持可能であることを意味する。
支持台１１の形態が、チェアポジションＰ１とベッドポジションＰ２との間で間欠的に変更可能であることは、支持台１１の形態を、チェアポジションＰ１およびベッドポジションＰ２のみで、または、支持台１１の形態を、チェアポジションＰ１およびベッドポジションＰ２に加えて、チェアポジションＰ１やベッドポジションＰ２の間の特定の（例えば数点の）中間ポジションで保持可能であることを意味する。
【００２２】
図１から図６に示すように、架台１２は、台車部３１と、支持部３２と、メインフレーム３３と、連動機構３４と、保持機構３５と、を備えている。
台車部３１は、台車本体３６と、キャスター３７と、を備えている。台車本体３６は、平面視において前後方向Ｘに延びる矩形状に形成されている。キャスター３７は、台車本体３６の４つの角部それぞれに配置されている。
【００２３】
支持部３２は、柱状に形成されている。支持部３２は、支持台１１を昇降可能に支持する。支持部３２は、支持台１１を、実質的に前後方向Ｘや左右方向Ｙに移動させることなく、上下方向Ｚに沿って昇降させる。支持部３２は、電力に基づいて上下方向Ｚに伸縮可能である。支持部３２は、図示しない駆動部と、駆動部を覆うカバー部３８と、を備えている。本実施形態では、カバー部３８が、複数の筒体を備えていて、前記駆動部が電力に基づいて駆動したときに、複数の筒体の上下方向Ｚの重なり代が変化することで、支持部３２が伸長する。
【００２４】
メインフレーム３３は、支持部３２および支持台１１それぞれに固定されている。支持部３２は、支持台１１にメインフレーム３３を介して間接的に固定されている。
図７に示すように、メインフレーム３３は、固定フレーム３９と、ボトムフレーム４０と、オプション受４７と、を備えている。
【００２５】
固定フレーム３９は、支持部３２に直接的に固定されている。固定フレーム３９は、枠部３９ａと、固定部３９ｂと、を備えている。枠部３９ａは、平面視において前後方向Ｘに延びる矩形状に形成されている。固定部３９ｂは、平面視において枠部３９ａの内側に配置され、枠部３９ａに固定されている。固定部３９ｂには、支持部３２が固定されている。
ボトムフレーム４０は、固定フレーム３９および支持台１１それぞれに固定されている。ボトムフレーム４０は、腰フレーム４１と、背フレーム４２と、腿フレーム４３と、脚フレーム４４と、を備えている。
【００２６】
腰フレーム４１は、固定フレーム３９および後座面部２１ａそれぞれに固定されている。腰フレーム４１は、固定フレーム３９における前後方向Ｘの中央部に固定されている。腰フレーム４１は、固定フレーム３９に実質的に移動不能に固定されている。
背フレーム４２は、背もたれ２２に固定されている。背フレーム４２は、腰フレーム４１における後側Ｘ２の端部に回動可能に連結されている。背フレーム４２は、固定フレーム３９において腰フレーム４１よりも後側Ｘ２に位置する部分の上方に位置している。
【００２７】
腿フレーム４３は、前座面部２１ｂに固定されている。腿フレーム４３は、固定フレーム３９における前側Ｘ１の端部に回動可能に連結されている。腿フレーム４３は、固定フレーム３９において腰フレーム４１よりも前側Ｘ１に位置する部分の上方に位置している。
脚フレーム４４は、レッグレスト２３に固定されている。脚フレーム４４は、腿フレーム４３における前側Ｘ１の端部に回動可能に連結されている。
【００２８】
オプション受４７は、固定フレーム３９に設けられている。オプション受４７には、オプションＯＰが着脱可能に装着される。オプション受４７は、固定フレーム３９における左右方向Ｙの端部に設けられ、固定フレーム３９における前後方向Ｘの端部に位置している。なおオプションＯＰとしては、例えば酸素ボンベ受やＩＶポール等が挙げられる。
【００２９】
図８に示すように、連動機構３４は、背もたれ２２とレッグレスト２３とを連動させる。連動機構３４は、背もたれ２２をレッグレスト２３とともにチェアポジションＰ１からベッドポジションＰ２に移動させ、ベッドポジションＰ２からチェアポジションＰ１に移動させる。なお図示の例では、連動機構３４は、背もたれ２２を、レッグレスト２３だけでなく前座面部２１ｂとともに移動させる。
【００３０】
連動機構３４は、いわゆるリンク機構によって形成されている。連動機構３４における前側Ｘ１の端部は、脚フレーム４４に回動可能に連結され、連動機構３４における後側Ｘ２の端部は、背フレーム４２に回動可能に連結されている。
【００３１】
図７に示すように、保持機構３５は、支持台１１の姿勢を保持する。支持台１１の背もたれ２２は、チェアポジションＰ１とベッドポジションＰ２との間を連続的に移動する。保持機構３５は、背もたれ２２をチェアポジションＰ１とベッドポジションＰ２との間の任意の位置で支持し、背もたれ２２を起伏された状態で保持する。
【００３２】
保持機構３５は、荷重受け部４５と、操作部４６と、を備えている。
荷重受け部４５は、背もたれ２２から受ける荷重を、メインフレーム３３を介して支持部３２に伝達する。荷重受け部４５は、背フレーム４２および固定フレーム３９それぞれに固定されている。荷重受け部４５は、例えばガススプリングなどにより形成される。操作部４６は、荷重受け部４５による背もたれ２２の支持およびその解除を切り替える。
【００３３】
図１から図６に示すように、柵体１３は、支持台１１を左右方向Ｙに挟んで一対設けられている。柵体１３は、柵体１３の正面視において矩形状をなす板状に形成されている。柵体１３は、座面部２１に左右方向Ｙに隣接して配置されている。柵体１３は、架台１２に移動可能に連結されている。柵体１３は、前後方向Ｘに延びる図示しない回転軸回りに回転移動可能である。柵体１３は、図１から図４に示す標準位置Ｐ１１と、図５に示す退避位置Ｐ１２と、図６に示す水平位置Ｐ１３と、の間で移動可能である。
【００３４】
図１から図４に示すように、標準位置Ｐ１１の柵体１３は、支持台１１よりも上方に突出し、使用者の左右方向Ｙへの移動を規制する。図５に示すように、退避位置Ｐ１２の柵体１３は、標準位置Ｐ１１の柵体１３に対して上下反転された姿勢となっていて、支持台１１よりも下方に位置している。図６に示すように、水平位置Ｐ１３の柵体１３は、支持台１１から左右方向Ｙに延び、水平面に沿うように位置している。水平位置Ｐ１３の柵体１３は、ベッドポジションＰ２の支持台１１と略面一となっている。
なお柵体１３は、図示しない固定機構を備えている。前記固定機構は、柵体１３の姿勢を、標準位置Ｐ１１および水平位置Ｐ１３のいずれの位置においても固定することができる。本実施形態では、前記固定機構が、柵体１３の姿勢を退避位置Ｐ１２では固定しないが、退避位置Ｐ１２でも固定するように構成してもよい。
【００３５】
ハンドル１４は、支持台１１の背もたれ２２に設けられている。ハンドル１４は、背フレーム４２を介して、背もたれ２２に間接的に固定されている。ハンドル１４は、左右方向Ｙに間隔をあけて一対配置された横ハンドル１４ａと、横ハンドル１４ａを左右方向Ｙに連結する連結ハンドル１４ｂと、を備えている。
【００３６】
前記身体支持装置１０を利用するときであって、待機、術前処理、リカバリーそれぞれを目的とする場合には、図１および図２に示すように、例えば、支持台１１をチェアポジションＰ１としておくことができる。また、検査・診察を目的とする場合には、図５に示すように、例えば、支持台１１をベッドポジションＰ２にするとともに、柵体１３を退避位置Ｐ１２に位置させておくことができる。さらに、搬送を目的とする場合には、図１および図２に示すように、支持台１１をチェアポジションＰ１としたり、図４に示すように、支持台１１をベッドポジションＰ２にするとともに、柵体１３を標準位置Ｐ１１に位置させておいたりすることができる。支持台１１をベッドポジションＰ２にする場合には、使用者を図示しない固定ベルトにより支持台１１に固定してもよい。
【００３７】
なお、身体支持装置１０から使用者を他の装置（例えば、ベッド、診察台、ストレッチャー、または、使用者（患者）が横になるＭＥ（Ｍｅｄｉｃａｌ  Ｅｎｇｉｎｅｅｒｉｎｇ）機器など）に移乗させるときには、図６に示すように、柵体１３を水平位置Ｐ１３に位置させることで、柵体１３を、支持台１１から前記他の装置への移乗用の渡し板として利用してもよい。このとき、柵体１３の姿勢を前記固定機構によって固定するのではなく、柵体１３の下方に前記他の装置を配置して柵体１３を前記他の装置により支持する。これにより、例えば支持台１１と前記他の装置との間に段差があったとしても、柵体１３をその段差にあわせて前記回転軸回りに回転させることができる。その結果、例えば、柵体１３に使用者の体重が過度に作用するのを抑えること等ができる。これに対して、例えば、使用者の腕の処置をするために柵体１３を上肢台として利用する場合などには、柵体１３の姿勢を前記固定機構によって水平位置Ｐ１３に固定することが好ましい。
【００３８】
以上で、本発明の実施形態に係る身体支持装置１０の基本構成について説明した。以下では、身体支持装置１０における本実施形態の特徴部分について説明する。
【００３９】
まず、支持台１１上における使用者の臀部の位置について説明する。
支持台１１上に乗る使用者の臀部の下方となる領域Ｒ１は、支持台１１の座面部２１上に位置している。領域Ｒ１は、座面部２１における後座面部２１ａおよび前座面部２１ｂに跨って位置している。領域Ｒ１は、左右方向Ｙに長い楕円形状となる。領域Ｒ１において、後座面部２１ａ上に位置する後側部分は、後側Ｘ２から前側Ｘ１に向かうに従い、左右方向Ｙに長くなっている。領域Ｒ１において、前座面部２１ｂ上に位置する前側部分は、後側Ｘ２から前側Ｘ１に向かうに従い、左右方向Ｙに短くなっている。
【００４０】
以下では、図１および図９に示すように、複数のクッション部２５のうち、座面部２１の後座面部２１ａが備えるクッション部２５をクッション部２５Ａと呼ぶ。同様に、前座面部２１ｂが備えるクッション部２５をクッション部２５Ｂと呼び、背もたれ２２が備えるクッション部２５をクッション部２５Ｃと呼び、レッグレスト２３が備えるクッション部２５をクッション部２５Ｄと呼ぶ。なお、クッション部２５Ａ、２５Ｂ、２５Ｃ、２５Ｄを区別しないで呼ぶときは、クッション部２５と総称する。
【００４１】
図１０および図１１に示すように、後座面部２１ａのクッション部２５Ａは、軟質チップウレタン２５Ａａと、硬質チップウレタン２５Ａｂと、を備えている。軟質チップウレタン２５Ａａは、例えば密度を変えること等により、硬質チップウレタン２５Ａｂよりも柔らかく構成されている。軟質チップウレタン２５Ａａの弾性係数は、硬質チップウレタン２５Ａｂの弾性係数よりも小さい。
【００４２】
図１０に示すように、前座面部２１ｂのクッション部２５Ｂは、クッション部２５Ａと同様に、軟質チップウレタン２５Ｂａと、硬質チップウレタン２５Ｂｂと、を備えている。クッション部２５Ａにおける軟質チップウレタン２５Ａａ、およびクッション部２５Ｂにおける軟質チップウレタン２５Ｂａはいずれも、領域Ｒ１内に配置されている。クッション部２５Ａにおける硬質チップウレタン２５Ａｂ、およびクッション部２５Ｂにおける硬質チップウレタン２５Ｂｂはいずれも、領域Ｒ１外に配置されている。
【００４３】
クッション部２５Ａの軟質チップウレタン２５Ａａは、領域Ｒ１の後側Ｘ２の部分に配置されている。軟質チップウレタン２５Ａａは、クッション部２５Ａの前側Ｘ１の部分であって、左右方向Ｙの中央部に配置されている。
軟質チップウレタン２５Ａａは、後側Ｘ２から前側Ｘ１に向かうに従い、左右方向Ｙに長くなっている。
硬質チップウレタン２５Ａｂの一部は、軟質チップウレタン２５Ａａよりも後側Ｘ２に配置され、硬質チップウレタン２５Ａｂの他の一部は、軟質チップウレタン２５Ａａを左右方向Ｙに挟むように配置されている。軟質チップウレタン２５Ａａおよび硬質チップウレタン２５Ｂｂの上下方向Ｚの長さは、クッション部２５Ａの全域にわたって同等である。
【００４４】
クッション部２５Ｂの軟質チップウレタン２５Ｂａは、領域Ｒ１の前側Ｘ１の部分に配置されている。軟質チップウレタン２５Ｂａは、クッション部２５Ｂの後側Ｘ２の部分であって、左右方向Ｙの中央部に配置されている。軟質チップウレタン２５Ｂａは、後側Ｘ２から前側Ｘ１に向かうに従い、左右方向Ｙに短くなっている。
硬質チップウレタン２５Ｂｂの一部は、軟質チップウレタン２５Ｂａよりも前側Ｘ１に配置されているとともに、硬質チップウレタン２５Ｂｂの他の一部は、軟質チップウレタン２５Ｂａを左右方向Ｙに挟むように配置されている。軟質チップウレタン２５Ｂａおよび硬質チップウレタン２５Ｂｂの上下方向Ｚの長さは、クッション部２５Ｂの全域にわたって同等である。
【００４５】
クッション部２５Ａ、２５Ｂの軟質チップウレタン２５Ａａ、２５Ｂａは、領域Ｒ１に対応して、平面視において、全体として左右方向Ｙに長い楕円形状となる。
クッション部２５Ａ、２５Ｂの軟質チップウレタン２５Ａａ、２５Ｂａの左右方向Ｙの両側には、座面部２１に座った使用者が沈み込まないように、硬質チップウレタン２５Ａｂ、２５Ｂｂが設けられている。言い替えれば、座面部２１ａ、２１ｂの左右方向Ｙの両端部は、硬くなっている。
【００４６】
図１２に示すように、レッグレスト２３のクッション部２５Ｄは硬質チップウレタンで形成されている。図示はしないが、背もたれ２２のクッション部２５Ｃは硬質チップウレタンで形成されている。
図１０に示すように、クッション部２５Ａ、２５Ｂ、２５Ｃ、２５Ｄは、上下方向Ｚの長さが同等であり、左右方向Ｙの長さが同等である。本実施形態では、クッション部２５Ａ、２５Ｂ、２５Ｃ、２５Ｄは、一体に形成されている。クッション部２５Ａ、２５Ｂ、２５Ｃ、２５Ｄのうち前後方向Ｘに隣り合うクッション部２５の間には、クッション部２５の底面から上方に向かって凹んだ凹部２５ａ形成されている。凹部２５ａは、クッション部２５の全長にわって左右方向Ｙに延びている。
支持台１１の形態がベッドポジションＰ２のときには、クッション部２５の上面はクッション部２５全体にわたって平坦になる。
【００４７】
図９、図１１、及び図１２に示すように、支持台１１は、クッション部２５Ａ、２５Ｂ、２５Ｃ、２５Ｄの底部を支持する支持板２６Ａ、２６Ｂ、２６Ｃ、２６Ｄを備えている。すなわち、例えば支持板２６Ａがクッション部２５Ａの底部を支持している。なお、支持板２６Ａ、２６Ｂ、２６Ｃ、２６Ｄを区別しないで呼ぶときは、支持板２６と総称する。
支持板２６は木製の合板により形成されている。支持板２６Ａ、２６Ｂ、２６Ｃ、２６Ｄは、前後方向Ｘに並べて配設されている。言い換えると、支持板２６は、一体に形成されたクッション部２５の底部のうち、背もたれ２２と後座面部２１ａとの間に位置する部分、後座面部２１ａと前座面部２１ｂとの間に位置する部分、および前座面部２１ｂとレッグレスト２３との間に位置する部分を回避して配設されている。
すなわち、支持板２６は、前述したチェアポジションＰ１とベッドポジションＰ２との間における支持台１１の形態の変化に際して、支持台１１が屈曲する部分の底部を回避して形成されている。
【００４８】
図９および図１１に示すように支持板２６の底面には、下方に向けて突出するかまち部２６ａが形成されている。かまち部２６ａは木製の合板により形成されている。かまち部２６ａは、支持板２６Ａ、２６Ｂ、２６Ｃ、２６Ｄの底面における左右方向Ｙの両端部、最も後側Ｘ２に位置する支持板２６Ｃの底面における後側Ｘ２の端部、および最も前側Ｘ１に位置する支持板２６Ｄの底面における前側Ｘ１の端部に、各別に形成されている。
かまち部２６ａは、ボトムフレーム４０よりも前後方向Ｘおよび左右方向Ｙの外側に位置している。
【００４９】
図１２に示すように支持板２６には、支持板２６を上下方向Ｚに貫通する貫通孔２６ｂが形成されている。支持板２６における貫通孔２６ｂの上部には、爪付きナット２７が固定されている。
図９、図１１、及び図１２に示すように、支持台１１は、クッション部２５および支持板２６を一体に被覆するカバー部材２８を備えている。カバー部材２８は、例えば、ＰＶＣ（PolyVinyl Chloride：ポリ塩化ビニル）等の樹脂製のシートで形成することができる。カバー部材２８は、クッション部２５の上面を一体に覆っている。カバー部材２８は、かまち部２６ａに固定されている。
支持台１１の形態がベッドポジションＰ２のときには、カバー部材２８の上面はカバー部材２８全体にわたって平坦になる。
なお、カバー部材２８における後座面部２１ａに対応する部分等に凹部が形成されていてもよい。この凹部は、使用者の臀部を支持する。
【００５０】
図１および図１１に示すように、クッション部２５Ａの軟質チップウレタン２５Ａａ、クッション部２５Ｂの軟質チップウレタン２５Ｂａ、およびこれらの軟質チップウレタン２５Ａａ、２５Ｂａの上方に位置するカバー部材２８で、支持台１１上の使用者の位置を保持する保持部２９を構成する。保持部２９は、支持台１１が有する座面部２１に設けられている。
保持部２９は、支持台１１のうち保持部２９以外の部分よりも柔らかく構成されている。すなわち、支持台１１を構成するクッション部２５およびカバー部材２８のうち、保持部２９以外の部分は、硬質チップウレタンとカバー部材２８とで構成されているため、保持部２９よりも硬い。
【００５１】
ボトムフレーム４０に形成された図示しない貫通孔、および支持板２６の貫通孔２６ｂに挿入された図示しないボルトを爪付きナット２７に嵌め合わせることで、ボトムフレーム４０に支持台１１が着脱可能に取付けられている。
【００５２】
次に、以上のように構成された身体支持装置１０の動作について説明する。
図３に示すベッドポジションＰ２における身体支持装置１０の支持台１１に使用者が横たわる際には、使用者や介助者等は、保持部２９上に使用者の臀部が位置するように、支持台１１における寝位置の前後方向Ｘの位置を決める。なおこの際、支持台１１における寝位置の左右方向Ｙの位置は、支持台１１の左右方向Ｙの中央部を目安として決める。
【００５３】
カバー部材２８の上面はカバー部材２８全体にわたって平坦であるため、使用者は、カバー部材２８上を移動しやすい。
保持部２９は支持台１１のうち保持部２９以外の部分のよりも柔らかく構成されているため、使用者の臀部が保持部２９上に位置したときに、支持台１１上で使用者の臀部が下方に沈み込む長さは、使用者の身体における臀部以外の部分が下方に沈み込む長さよりも長くなる。この沈み込む長さの違いにより、支持台１１のうち保持部２９に前後方向Ｘおよび左右方向Ｙに連なる部分に、段差が形成される。使用者の臀部は、この段差により支持台１１の上面に沿って移動しにくくなり、使用者の臀部の位置が保持される。
【００５４】
そして、操作部４６を操作して荷重受け部４５を動作させる等により、支持台１１が使用者を支持した状態のまま、身体支持装置１０における支持台１１の形態を、ベッドポジションＰ２からチェアポジションＰ１に変化させる。この際、使用者の臀部が保持部２９により保持されているため、背もたれ２２が上方に移動して使用者の上半身が上がる等しても、支持台１１に対する使用者の臀部の位置が前後方向Ｘおよび左右方向Ｙにズレにくい。使用者の身体の中央の部分となる臀部の位置がズレにくいことで、支持台１１に対する使用者の身体全体の位置もズレにくくなる。
【００５５】
以上説明したように、本実施形態の身体支持装置１０によれば、保持部２９により支持台１１上の使用者の位置が保持されることで、架台１２が支持台１１の形態を変更したときに支持台１１上での使用者の位置をズレにくくすることができる。これにより、支持台１１上の使用者の身体が安定する。
一般的に、臀部は人体の頭部から脚部までのうちの中央の部分であり、人体の臀部の位置が保持されれば、人体全体の位置が安定する。保持部２９は、支持台１１の座面部２１に設けられていることで、支持台１１上での使用者の位置を効果的にズレにくくすることができる。
【００５６】
保持部２９は柔らかく構成されているため、支持台１１上に使用者が乗ったときに、保持部２９が下方に沈み込む長さは、支持台１１のうち保持部２９以外の部分が下方に沈み込む長さよりも長くなる。このため、保持部２９上の使用者の臀部は、保持部２９が沈み込みことにより形成された段差により支持台１１の上面に沿って移動しにくくなる。したがって、保持部２９が沈み込むことで、支持台１１上での使用者の位置をズレにくくすることができる。
架台は、支持台１１の形態をチェアポジションＰ１と、ベッドポジションＰ２と、の間で変更可能である。これにより、使用者が支持台１１上に乗った状態で、使用者の姿勢を座位姿勢と仰臥位姿勢とで変更しても、支持台１１により使用者を支持することができる。
【００５７】
（第２実施形態）
次に、本発明の第２実施形態について図１３を参照しながら説明するが、前記実施形態と同一の部位には同一の符号を付してその説明は省略し、異なる点についてのみ説明する。
図１３（ａ）に示すように、本実施形態の身体支持装置１０Ａは、支持台１１に、第１実施形態の保持部２９に代えて、保持部５１が設けられている。なお、図１３（ｂ）には、後座面部２１ａの範囲Ｂ１の拡大図を示し、図１３（ｃ）には、背もたれ２２の範囲Ｂ２の拡大図を示している。
本実施形態の身体支持装置１０Ａは、第１実施形態のカバー部材２８に代えて、カバー部材５４を備えている。カバー部材５４は、第１カバー片５４ａと、第２カバー片５４ｂと、を備えている。第１カバー片５４ａは、支持台１１上に乗る使用者の臀部の下方となる領域Ｒ１内に用いられている。例えば、第１カバー片５４ａは、表面にシワ模様であるシボが設けられている。この例では、凸部５４ｃが千鳥状に配置されていることでシボが形成されているが、シボの形状はこれに限定されない。
【００５８】
一方で、カバー部材５４における第１カバー片５４ａ以外の部分は、第２カバー片５４ｂで形成されている。第２カバー片５４ｂの表面は、第２カバー片５４ｂの表面よりも平坦である。第１カバー片５４ａの表面および第２カバー片５４ｂの表面が接触する対象物が同一という、同一の条件下において、第１カバー片５４ａの表面は、第２カバー片５４ｂの表面よりも静止摩擦係数が大きい。この対象物と第１カバー片５４ａの表面との間は、この対象物と第２カバー片５４ｂの表面との間よりも滑りにくい。
例えば、カバー部材５４は、表面形状が互いに異なる第１カバー片５４ａと第２カバー片５４ｂとを溶着すること等により製造することができる。
【００５９】
本実施形態では、座面部２１の後座面部２１ａおよび前座面部２１ｂが備えるクッション部２５は、全て硬質チップウレタンで形成されている。すなわち、座面部２１が備えるクッション部２５は、全て硬質チップウレタンで形成されている。クッション部２５の上下方向Ｚの長さは、クッション部２５の全域にわたって同等である。
第１カバー片５４ａにより、保持部５１が構成される。本実施形態では、保持部５１は、支持台１１の座面部２１のみに設けられている。
保持部５１は、支持台１１のうち保持部５１以外の部分よりも滑りにくく構成されている。すなわち、支持台１１の背もたれ２２およびレッグレスト２３は、保持部５１よりも滑りやすく構成されている。保持部５１は、滑り止め部であるとも言える。
【００６０】
次に、以上のように構成された身体支持装置１０Ａの動作について説明する。
使用者は、第１実施形態と同様にベッドポジションＰ２における身体支持装置１０Ａの支持台１１に横たわる。このとき、保持部５１上に使用者の臀部が位置するように、支持台１１における寝位置の前後方向Ｘおよび左右方向Ｙの位置を決める。使用者は、第２カバー片５４ｂや、保持部５１を構成する第１カバー片５４ａに接触する。
そして、支持台１１が使用者を支持した状態のまま、身体支持装置１０Ａにおける支持台１１の形態を、ベッドポジションＰ２からチェアポジションＰ１に変化させる。この際、使用者の臀部が保持部５１との間に作用する摩擦力により保持されているため、背もたれ２２が上方に移動して使用者の上半身が上がる等しても、支持台１１に対する使用者の臀部の位置が前後方向Ｘおよび左右方向Ｙにズレにくい。使用者の身体の中央の部分となる臀部の位置がズレにくいことで、支持台１１に対する使用者の身体全体の位置もズレにくくなる。
【００６１】
支持台１１の形態をチェアポジションＰ１に変化させる際に、背もたれ２２が保持部５１よりも滑りやすく構成されているため、背もたれ２２に支持される使用者の上半身が背もたれ２２上で移動しやすくなる。
【００６２】
以上説明したように、本実施形態の身体支持装置１０によれば、支持台１１上での使用者の位置をズレにくくすることができる。
さらに、保持部５１は滑りにくく構成されているため、使用者の身体のうち保持部５１に接触する臀部が保持部５１との間に作用する摩擦力により、支持台１１の上面に沿って移動しにくくなる。このため、支持台１１上での使用者の位置をズレにくくすることができる。
背もたれ２２は、保持部５１よりも滑りやすく構成されている。したがって、支持台１１の形態がベッドポジションＰ２のときから背もたれ２２を上げたときに、背もたれ２２に支持される使用者の上半身が背もたれ２２上で移動しやすくなる。これにより、背もたれ２２を上げたときに、使用者の上半身が支持台１１により支持台１１の上面に沿って突っ張る力を受けることを抑制することができる。
【００６３】
なお、本実施形態では、カバー部材５４に設けられたシボにより保持部５１を構成したが、例えば、カバー部材５４に設けられた滑り止めのゴムにより保持部を構成してもよい。
【００６４】
以上、本発明の第１実施形態および第２実施形態について図面を参照して詳述したが、具体的な構成はこの実施形態に限られるものではなく、本発明の要旨を逸脱しない範囲の構成の変更、組み合わせ、削除等も含まれる。さらに、各実施形態で示した構成のそれぞれを適宜組み合わせて利用できることは、言うまでもない。
例えば、前記第１実施形態および第２実施形態では、保持部２９、５１は、支持台１１の座面部２１のみに設けられているとしたが、保持部２９、５１は背もたれ２２やレッグレスト２３に設けられてもよい。
保持部は、柔らかく構成された保持部２９、および滑りにくく構成された保持部５１の両方の性質を有してもよい。
【００６５】
身体支持装置の架台１２は、支持台１１の形態をチェアポジションＰ１だけできるように構成してもよい。このように構成すると、支持台１１上に乗った使用者が比較的位置をずらしやすいと考えられる座位姿勢であっても、支持台１１上での使用者の位置をズレにくくすることができる。
【符号の説明】
【００６６】
１０，１０Ａ  身体支持装置
１１  支持台
１２  架台
２１  座面部
２２  背もたれ
２９、５１  保持部
Ｐ１  チェアポジション
Ｐ２  ベッドポジション
【図１】
2018157923.tif 000003
【図２】
2018157923.tif 000004
【図３】
2018157923.tif 000005
【図４】
2018157923.tif 000006
【図５】
2018157923.tif 000007
【図６】
2018157923.tif 000008
【図７】
2018157923.tif 000009
【図８】
2018157923.tif 000010
【図９】
2018157923.tif 000011
【図１０】
2018157923.tif 000012
【図１１】
2018157923.tif 000013
【図１２】
2018157923.tif 000014
【図１３】
2018157923.tif 000015